(57)【要約】【目的】  シングル／マルチパルスに対して高速な光出力変調を実現するとともに、光源の光出力分解能の精度を向上させる。【構成】  光源にシングルパルス信号によってシングルパルス光と前記シングルパルス信号と異なるパルス時間幅のパルス光を発光させる付加パルス信号によって付加パルス光とを発光させ、その発光させた上記シングルパルス光と上記付加パルス光とを記録媒体１０に照射し、上記記録媒体１０の記録層に記録マークを形成して情報を記録する際、レーザドライバ６は、上記記録媒体１０の記録速度、上記記録マークの長さ、又は前後のスペースの長さに応じて、上記付加パルス信号のオンオフを任意に設定する。【選択図】        図１
2006048836.tif 000002
【特許請求の範囲】
【請求項１】
光源にシングルパルス信号によってシングルパルス光と前記シングルパルス信号と異なるパルス時間幅のパルス光を発光させる付加パルス信号によって付加パルス光とを発光させ、該発光させた前記シングルパルス光と前記付加パルス光とを記録媒体に照射し、前記記録媒体の記録層に記録マークを形成して情報を記録する情報記録方法において、
前記記録媒体の記録速度、前記記録マークの長さ、又は前後のスペースの長さに応じて、前記付加パルス信号のオンオフを任意に設定することを特徴とする情報記録方法。
【請求項２】
前記付加パルス信号は、前記シングルパルス信号によるシングルパルス光に前記光源の光出力を減算する減算パルス信号であることを特徴とする請求項１記載の情報記録方法。
【請求項３】
前記付加パルス信号は、パルス時間幅又はパルス発生位置のうちの少なくともいずれか１つを任意に設定する信号であることを特徴とする請求項１又は２記載の情報記録方法。
【請求項４】
前記付加パルス信号は、前記光源の光出力を任意に設定する信号であることを特徴とする請求項１乃至３のいずれか一項に記載の情報記録方法。
【請求項５】
前記付加パルス信号は、前記シングルパルス幅を分割した先頭部分割パルス信号と中央部分割パルス信号と後方部分割パルス信号からなる分割付加パルス信号であることを特徴とする請求項１乃至４のいずれか一項に記載の情報記録方法。
【請求項６】
前記記録媒体の記録速度、前記記録マークの長さ、又は前後のスペースの長さに応じて、前記分割付加パルス信号の先頭部分割パルス信号と中央部分割パルス信号と後方部分割パルス信号のうちの少なくとも１つのオンオフを設定することを特徴とする請求項５記載の情報記録方法。
【請求項７】
先頭パルス部と、複数個の中央パルス部と、後部パルス部で構成されるマルチパルス信号によりマルチパルス光を光源に発光させて記録媒体上に情報を記録する際に、前記マルチパルス信号の先頭部パルス部と複数個の中央部パルス部と後部パルス部の各パルス部に、先頭付加パルス信号部と中央付加パルス信号部と後方付加パルス信号部からなるマルチ付加パルス信号を少なくとも１つ付加することによって前記記録媒体の記録層に記録マークを形成して情報を記録する情報記録方法において、
前記記録媒体の記録速度、前記記録マークの長さ、又は前後のスペースの長さに応じて、前記マルチ付加パルス信号の先頭付加パルス信号部と中央付加パルス信号と後方付加パルス信号のうちのいずれかの１つのオンオフを任意に設定することを特徴とする情報記録方法。
【請求項８】
前記マルチ付加パルス信号は、前記マルチパルス信号に前記光源の光出力を減算する減算パルス信号であることを特徴とする請求項７記載の情報記録方法。
【請求項９】
前記マルチ付加パルス信号は、前記先頭付加パルス信号部と前記中央付加パルス信号部と前記後方付加パルス信号部の、パルス時間幅とパルス発生位置の少なくともいずれか一方を任意に設定する信号であることを特徴とする請求項７又は８記載の情報記録方法。
【請求項１０】
前記マルチ付加パルス信号は、前記光源の光出力を任意に設定する信号であることを特徴とする請求項７又は８記載の情報記録方法。
【請求項１１】
光源にシングルパルス信号によってシングルパルス光と前記シングルパルス信号と異なるパルス時間幅のパルス光を発光させる付加パルス信号によって付加パルス光とを発光させ、該発光させた前記シングルパルス光と前記付加パルス光とを記録媒体に照射し、前記記録媒体の記録層に記録マークを形成して情報を記録する際に、前記記録媒体の記録速度、前記記録マークの長さ、又は前後のスペースの長さに応じて、前記付加パルス信号のオンオフを任意に設定する第１の行程と、
光源にシングルパルス信号によってシングルパルス光と前記シングルパルス信号と異なるパルス時間幅のパルス光を発光させる付加パルス信号によって付加パルス光とを発光させ、該発光させた前記シングルパルス光と前記付加パルス光とを記録媒体に照射し、前記記録媒体の記録層に記録マークを形成して情報を記録する際に、前記記録媒体の記録速度、前記記録マークの長さ、又は前後のスペースの長さに応じて、前記付加パルス信号のオンオフを任意に設定し、前記付加パルス信号は、前記シングルパルス信号によるシングルパルス光に前記光源の光出力を減算する減算パルス信号である第２の行程と、
光源にシングルパルス信号によってシングルパルス光と前記シングルパルス信号と異なるパルス時間幅のパルス光を発光させる付加パルス信号によって付加パルス光とを発光させ、該発光させた前記シングルパルス光と前記付加パルス光とを記録媒体に照射し、前記記録媒体の記録層に記録マークを形成して情報を記録する際に、前記記録媒体の記録速度、前記記録マークの長さ、又は前後のスペースの長さに応じて、前記付加パルス信号のオンオフを任意に設定し、前記付加パルス信号は、パルス時間幅又はパルス発生位置のうちの少なくともいずれか１つを任意に設定する信号である第３の行程と、
光源にシングルパルス信号によってシングルパルス光と前記シングルパルス信号と異なるパルス時間幅のパルス光を発光させる付加パルス信号によって付加パルス光とを発光させ、該発光させた前記シングルパルス光と前記付加パルス光とを記録媒体に照射し、前記記録媒体の記録層に記録マークを形成して情報を記録する際に、前記記録媒体の記録速度、前記記録マークの長さ、又は前後のスペースの長さに応じて、前記付加パルス信号のオンオフを任意に設定し、前記付加パルス信号は、前記シングルパルス信号によるシングルパルス光に前記光源の光出力を減算する減算パルス信号であり、且つパルス時間幅又はパルス発生位置のうちの少なくともいずれか１つを任意に設定する信号である第４の行程と、
光源にシングルパルス信号によってシングルパルス光と前記シングルパルス信号と異なるパルス時間幅のパルス光を発光させる付加パルス信号によって付加パルス光とを発光させ、該発光させた前記シングルパルス光と前記付加パルス光とを記録媒体に照射し、前記記録媒体の記録層に記録マークを形成して情報を記録する際に、前記記録媒体の記録速度、前記記録マークの長さ、又は前後のスペースの長さに応じて、前記付加パルス信号のオンオフを任意に設定し、前記付加パルス信号は、前記光源の光出力を任意に設定する信号である第５の行程と、
光源にシングルパルス信号によってシングルパルス光と前記シングルパルス信号と異なるパルス時間幅のパルス光を発光させる付加パルス信号によって付加パルス光とを発光させ、該発光させた前記シングルパルス光と前記付加パルス光とを記録媒体に照射し、前記記録媒体の記録層に記録マークを形成して情報を記録する際に、前記記録媒体の記録速度、前記記録マークの長さ、又は前後のスペースの長さに応じて、前記付加パルス信号のオンオフを任意に設定し、前記付加パルス信号は、前記シングルパルス信号によるシングルパルス光に前記光源の光出力を減算する減算パルス信号であり、且つ前記光源の光出力を任意に設定する信号である第６の行程と、
光源にシングルパルス信号によってシングルパルス光と前記シングルパルス信号と異なるパルス時間幅のパルス光を発光させる付加パルス信号によって付加パルス光とを発光させ、該発光させた前記シングルパルス光と前記付加パルス光とを記録媒体に照射し、前記記録媒体の記録層に記録マークを形成して情報を記録する際に、前記記録媒体の記録速度、前記記録マークの長さ、又は前後のスペースの長さに応じて、前記付加パルス信号のオンオフを任意に設定し、前記付加パルス信号は、パルス時間幅又はパルス発生位置のうちの少なくともいずれか１つを任意に設定する信号であり、且つ前記光源の光出力を任意に設定する信号である第７の行程と、
光源にシングルパルス信号によってシングルパルス光と前記シングルパルス信号と異なるパルス時間幅のパルス光を発光させる付加パルス信号によって付加パルス光とを発光させ、該発光させた前記シングルパルス光と前記付加パルス光とを記録媒体に照射し、前記記録媒体の記録層に記録マークを形成して情報を記録する際に、前記記録媒体の記録速度、前記記録マークの長さ、又は前後のスペースの長さに応じて、前記付加パルス信号のオンオフを任意に設定し、前記付加パルス信号は、前記シングルパルス幅を分割した先頭部分割パルス信号と中央部分割パルス信号と後方部分割パルス信号からなる分割付加パルス信号である第８の行程と、
光源にシングルパルス信号によってシングルパルス光と前記シングルパルス信号と異なるパルス時間幅のパルス光を発光させる付加パルス信号によって付加パルス光とを発光させ、該発光させた前記シングルパルス光と前記付加パルス光とを記録媒体に照射し、前記記録媒体の記録層に記録マークを形成して情報を記録する際に、前記記録媒体の記録速度、前記記録マークの長さ、又は前後のスペースの長さに応じて、前記付加パルス信号のオンオフを任意に設定し、前記付加パルス信号は、前記シングルパルス信号によるシングルパルス光に前記光源の光出力を減算する減算パルス信号であり、且つ前記シングルパルス幅を分割した先頭部分割パルス信号と中央部分割パルス信号と後方部分割パルス信号からなる分割付加パルス信号である第９の行程と、
光源にシングルパルス信号によってシングルパルス光と前記シングルパルス信号と異なるパルス時間幅のパルス光を発光させる付加パルス信号によって付加パルス光とを発光させ、該発光させた前記シングルパルス光と前記付加パルス光とを記録媒体に照射し、前記記録媒体の記録層に記録マークを形成して情報を記録する際に、前記記録媒体の記録速度、前記記録マークの長さ、又は前後のスペースの長さに応じて、前記付加パルス信号のオンオフを任意に設定し、前記付加パルス信号は、パルス時間幅又はパルス発生位置のうちの少なくともいずれか１つを任意に設定する信号であり、且つ前記シングルパルス幅を分割した先頭部分割パルス信号と中央部分割パルス信号と後方部分割パルス信号からなる分割付加パルス信号である第１０の行程と、
光源にシングルパルス信号によってシングルパルス光と前記シングルパルス信号と異なるパルス時間幅のパルス光を発光させる付加パルス信号によって付加パルス光とを発光させ、該発光させた前記シングルパルス光と前記付加パルス光とを記録媒体に照射し、前記記録媒体の記録層に記録マークを形成して情報を記録する際に、前記記録媒体の記録速度、前記記録マークの長さ、又は前後のスペースの長さに応じて、前記付加パルス信号のオンオフを任意に設定し、前記付加パルス信号は、前記シングルパルス信号によるシングルパルス光に前記光源の光出力を減算する減算パルス信号であり、パルス時間幅又はパルス発生位置のうちの少なくともいずれか１つを任意に設定する信号であり、且つ前記シングルパルス幅を分割した先頭部分割パルス信号と中央部分割パルス信号と後方部分割パルス信号からなる分割付加パルス信号である第１１の行程と、
光源にシングルパルス信号によってシングルパルス光と前記シングルパルス信号と異なるパルス時間幅のパルス光を発光させる付加パルス信号によって付加パルス光とを発光させ、該発光させた前記シングルパルス光と前記付加パルス光とを記録媒体に照射し、前記記録媒体の記録層に記録マークを形成して情報を記録する際に、前記付加パルス信号のオンオフを任意に設定し、前記付加パルス信号は、前記シングルパルス幅を分割した先頭部分割パルス信号と中央部分割パルス信号と後方部分割パルス信号からなる分割付加パルス信号であり、前記記録媒体の記録速度、前記記録マークの長さ、又は前後のスペースの長さに応じて、前記分割付加パルス信号の先頭部分割パルス信号と中央部分割パルス信号と後方部分割パルス信号のうちの少なくとも１つのオンオフを設定する第１２の行程と、
光源にシングルパルス信号によってシングルパルス光と前記シングルパルス信号と異なるパルス時間幅のパルス光を発光させる付加パルス信号によって付加パルス光とを発光させ、該発光させた前記シングルパルス光と前記付加パルス光とを記録媒体に照射し、前記記録媒体の記録層に記録マークを形成して情報を記録する際に、前記記録媒体の記録速度、前記記録マークの長さ、又は前後のスペースの長さに応じて、前記付加パルス信号のオンオフを任意に設定し、前記付加パルス信号は、前記シングルパルス信号によるシングルパルス光に前記光源の光出力を減算する減算パルス信号であり、且つ前記シングルパルス幅を分割した先頭部分割パルス信号と中央部分割パルス信号と後方部分割パルス信号からなる分割付加パルス信号であり、前記記録媒体の記録速度、前記記録マークの長さ、又は前後のスペースの長さに応じて、前記分割付加パルス信号の先頭部分割パルス信号と中央部分割パルス信号と後方部分割パルス信号のうちの少なくとも１つのオンオフを設定する第１３の行程と、
光源にシングルパルス信号によってシングルパルス光と前記シングルパルス信号と異なるパルス時間幅のパルス光を発光させる付加パルス信号によって付加パルス光とを発光させ、該発光させた前記シングルパルス光と前記付加パルス光とを記録媒体に照射し、前記記録媒体の記録層に記録マークを形成して情報を記録する際に、前記記録媒体の記録速度、前記記録マークの長さ、又は前後のスペースの長さに応じて、前記付加パルス信号のオンオフを任意に設定し、前記付加パルス信号は、パルス時間幅又はパルス発生位置のうちの少なくともいずれか１つを任意に設定する信号であり、且つ前記シングルパルス幅を分割した先頭部分割パルス信号と中央部分割パルス信号と後方部分割パルス信号からなる分割付加パルス信号であり、前記記録媒体の記録速度、前記記録マークの長さ、又は前後のスペースの長さに応じて、前記分割付加パルス信号の先頭部分割パルス信号と中央部分割パルス信号と後方部分割パルス信号のうちの少なくとも１つのオンオフを設定する第１４の行程と、
光源にシングルパルス信号によってシングルパルス光と前記シングルパルス信号と異なるパルス時間幅のパルス光を発光させる付加パルス信号によって付加パルス光とを発光させ、該発光させた前記シングルパルス光と前記付加パルス光とを記録媒体に照射し、前記記録媒体の記録層に記録マークを形成して情報を記録する際に、前記記録媒体の記録速度、前記記録マークの長さ、又は前後のスペースの長さに応じて、前記付加パルス信号のオンオフを任意に設定し、前記付加パルス信号は、前記シングルパルス信号によるシングルパルス光に前記光源の光出力を減算する減算パルス信号であり、パルス時間幅又はパルス発生位置のうちの少なくともいずれか１つを任意に設定する信号であり、且つ前記シングルパルス幅を分割した先頭部分割パルス信号と中央部分割パルス信号と後方部分割パルス信号からなる分割付加パルス信号であり、前記記録媒体の記録速度、前記記録マークの長さ、又は前後のスペースの長さに応じて、前記分割付加パルス信号の先頭部分割パルス信号と中央部分割パルス信号と後方部分割パルス信号のうちの少なくとも１つのオンオフを設定する第１５の行程と、
先頭パルス部と、複数個の中央パルス部と、後部パルス部で構成されるマルチパルス信号によりマルチパルス光を光源に発光させて記録媒体上に情報を記録する際に、前記マルチパルス信号の先頭部パルス部と複数個の中央部パルス部と後部パルス部の各パルス部に、先頭付加パルス信号部と中央付加パルス信号部と後方付加パルス信号部からなるマルチ付加パルス信号を少なくとも１つ付加することによって前記記録媒体の記録層に記録マークを形成して情報を記録する際、前記記録媒体の記録速度、前記記録マークの長さ、又は前後のスペースの長さに応じて、前記マルチ付加パルス信号の先頭付加パルス信号部と中央付加パルス信号と後方付加パルス信号のうちのいずれかの１つのオンオフを任意に設定する第１６の行程と、
先頭パルス部と、複数個の中央パルス部と、後部パルス部で構成されるマルチパルス信号によりマルチパルス光を光源に発光させて記録媒体上に情報を記録する際に、前記マルチパルス信号の先頭部パルス部と複数個の中央部パルス部と後部パルス部の各パルス部に、先頭付加パルス信号部と中央付加パルス信号部と後方付加パルス信号部からなるマルチ付加パルス信号を少なくとも１つ付加することによって前記記録媒体の記録層に記録マークを形成して情報を記録する際、前記記録媒体の記録速度、前記記録マークの長さ、又は前後のスペースの長さに応じて、前記マルチ付加パルス信号の先頭付加パルス信号部と中央付加パルス信号と後方付加パルス信号のうちのいずれかの１つのオンオフを任意に設定し、前記マルチ付加パルス信号は、前記マルチパルス信号に前記光源の光出力を減算する減算パルス信号である第１７の行程と、
先頭パルス部と、複数個の中央パルス部と、後部パルス部で構成されるマルチパルス信号によりマルチパルス光を光源に発光させて記録媒体上に情報を記録する際に、前記マルチパルス信号の先頭部パルス部と複数個の中央部パルス部と後部パルス部の各パルス部に、先頭付加パルス信号部と中央付加パルス信号部と後方付加パルス信号部からなるマルチ付加パルス信号を少なくとも１つ付加することによって前記記録媒体の記録層に記録マークを形成して情報を記録する際、前記記録媒体の記録速度、前記記録マークの長さ、又は前後のスペースの長さに応じて、前記マルチ付加パルス信号の先頭付加パルス信号部と中央付加パルス信号と後方付加パルス信号のうちのいずれかの１つのオンオフを任意に設定し、前記マルチ付加パルス信号は、前記先頭付加パルス信号部と前記中央付加パルス信号部と前記後方付加パルス信号部の、パルス時間幅とパルス発生位置の少なくともいずれか一方を任意に設定する信号である第１８の行程と、
先頭パルス部と、複数個の中央パルス部と、後部パルス部で構成されるマルチパルス信号によりマルチパルス光を光源に発光させて記録媒体上に情報を記録する際に、前記マルチパルス信号の先頭部パルス部と複数個の中央部パルス部と後部パルス部の各パルス部に、先頭付加パルス信号部と中央付加パルス信号部と後方付加パルス信号部からなるマルチ付加パルス信号を少なくとも１つ付加することによって前記記録媒体の記録層に記録マークを形成して情報を記録する際、前記記録媒体の記録速度、前記記録マークの長さ、又は前後のスペースの長さに応じて、前記マルチ付加パルス信号の先頭付加パルス信号部と中央付加パルス信号と後方付加パルス信号のうちのいずれかの１つのオンオフを任意に設定し、前記マルチ付加パルス信号は、前記マルチパルス信号に前記光源の光出力を減算する減算パルス信号であり、且つ前記先頭付加パルス信号部と前記中央付加パルス信号部と前記後方付加パルス信号部の、パルス時間幅とパルス発生位置の少なくともいずれか一方を任意に設定する信号である第１９の行程と、
先頭パルス部と、複数個の中央パルス部と、後部パルス部で構成されるマルチパルス信号によりマルチパルス光を光源に発光させて記録媒体上に情報を記録する際に、前記マルチパルス信号の先頭部パルス部と複数個の中央部パルス部と後部パルス部の各パルス部に、先頭付加パルス信号部と中央付加パルス信号部と後方付加パルス信号部からなるマルチ付加パルス信号を少なくとも１つ付加することによって前記記録媒体の記録層に記録マークを形成して情報を記録する際、前記記録媒体の記録速度、前記記録マークの長さ、又は前後のスペースの長さに応じて、前記マルチ付加パルス信号の先頭付加パルス信号部と中央付加パルス信号と後方付加パルス信号のうちのいずれかの１つのオンオフを任意に設定し、前記マルチ付加パルス信号は、前記光源の光出力を任意に設定する信号である第２０の行程と、
先頭パルス部と、複数個の中央パルス部と、後部パルス部で構成されるマルチパルス信号によりマルチパルス光を光源に発光させて記録媒体上に情報を記録する際に、前記マルチパルス信号の先頭部パルス部と複数個の中央部パルス部と後部パルス部の各パルス部に、先頭付加パルス信号部と中央付加パルス信号部と後方付加パルス信号部からなるマルチ付加パルス信号を少なくとも１つ付加することによって前記記録媒体の記録層に記録マークを形成して情報を記録する際、前記記録媒体の記録速度、前記記録マークの長さ、又は前後のスペースの長さに応じて、前記マルチ付加パルス信号の先頭付加パルス信号部と中央付加パルス信号と後方付加パルス信号のうちのいずれかの１つのオンオフを任意に設定し、前記マルチ付加パルス信号は、前記マルチパルス信号に前記光源の光出力を減算する減算パルス信号であり、且つ前記光源の光出力を任意に設定する信号である第２１の行程とのうち少なくともいずれか２つの行程からなることを特徴とする情報記録方法。
【請求項１２】
請求項１乃至１１記載のいずれか一項に記載の情報記録方法を実行する手段を備えたことを特徴とするレーザ駆動回路。
【請求項１３】
請求項１２記載のレーザ駆動回路を備えたことを特徴とする情報記録装置。
【発明の詳細な説明】
【技術分野】
【０００１】
この発明は、ＣＤ−Ｒディスク、ＣＤ−ＲＷディスク、ＤＶＤ−Ｒディスク、ＤＶＤ−ＲＷディスク、ＤＶＤ−ＲＡＭディスク、ＤＶＤ＋ＲＷディスク、ＭＯディスク等の光ディスク（記録媒体）に対して情報を記録する情報記録方法と、その記録媒体に対して情報を記録する際に照射するレーザ光の発光を制御するレーザ駆動回路と、ＣＤ−Ｒドライブ装置、ＣＤ−ＲＷドライブ装置、ＤＶＤ−Ｒドライブ装置、ＤＶＤ−ＲＷドライブ装置、ＤＶＤ−ＲＡＭドライブ装置、ＤＶＤ＋ＲＷドライブ装置、ＭＯドライブ装置などの情報記録装置とに関する。
【背景技術】
【０００２】
近年情報量の増大に伴い、光ディスクは高密度でかつ高速なデータの記録・再生ができる記録媒体（メディアとも呼ばれる）として期待されている。この光ディスクには１度だけ記録可能な追記型と記録・消去が何度でも可能な書換え型があり、後者（書換え型）には光磁気効果を利用した光磁気記録媒体や、可逆的な結晶状態の変化に伴う反射率変化を利用した相変化型記録媒体がある。
光ディスクの記録原理は穴あけや変形を利用したライトワンス媒体、キュリー点近傍での磁気の反転を利用した光磁気媒体、記録層の結晶とアモルファス相間の相転移を利用した相変化媒体があるが、いずれもレーザダイオード（ＬＤ）等の光源による記録層への照射パワーにより、記録層を所定の温度以上に昇温させ、物理的もしくは科学的変化を生じさせて記録を行う。
【０００３】
例えば、相変化型記録媒体では、通常結晶状態の時に未記録・消去状態（スペースとも呼ぶ）とし、アモルファス相状態のときに記録状態（マークとも呼ぶ）とする。ＬＤの照射パワーにより記録層を融点以上に昇温した後、適正な冷却時間を設けて短時間で結晶化領域よりも温度を下げた（急冷的）ときに記録層はアモルファス相すなわちマークとなる。またＬＤの適正な照射パワーにより、記録層温度が結晶化領域となる時間を増やすことにより記録層は結晶化し、消去状態（イレース）となる。
【０００４】
一方、これらライトワンス媒体や相変化媒体の記録媒体への記録方式には、近年ほとんどすべて高密度化に適したマーク長記録が採用されている。
マーク長記録とはマーク部とマーク部の両方の長さを変化させてデータを記録する方法である。ただし、正確にデータを再生するためにマークの時間的長さの検出が厳密となるため、マークエッジの形状の正確な制御が必要となる。
さらに短いマークから長いマークまで長さの異なる数種類のマークを形成しなければならない困難性もある。
例えば、ＤＶＤにおいてはＷＣＫと呼ばれる基準クロック（ＤＶＤ１倍速時２６．１６ＭＨｚ）の周期Ｔを単位として、記録されるマーク長は３Ｔ〜１１Ｔ及び１４Ｔの１０種類から成っている。
【０００５】
上述の数種類のマーク長は、情報を記録するための一般的な記録波形としてＥＦＭ（Ｅｉｇｈｔ  ｔｏ  Ｆｏｕｒｔｅｅｎ  Ｍｏｄｕｌａｔｉｏｎ）変調コード（以下ＥＦＭと呼ぶ）がある。このＥＦＭ信号をそのまま記録波形（すなわちＬＤ発光波形）とすると、長いマーク記録においては、前方から蓄積された熱によりマークの後方にいくにしたがってマーク形状が涙状になり、再生品質が劣化するという問題がある。
このため、ＥＦＭ変調コードなどに基づいて生成したマルチパルスのＬＤ発光波形（以下マルチパルス波形と呼ぶ）により記録媒体にマークを形成し、上記問題を防止している。
【０００６】
図３３及び図３４は、色素系等のライトワンス媒体への一般的な記録波形の一例を示す図である。
ユーザデータから決定されるＥＦＭのデータ長と等しい長さのマーク形状を記録媒体上に形成する際に、上述したようにマーク形状が涙状に形成するのを防止するため、図３３及び図３４に示すような記録波形を照射する。
図３３はマーク長が短い（例えば長さ３Ｔのマーク）の場合の記録波形であり、光源ＬＤが記録媒体に対して光を照射して適正なマーク形状を形成するために光出力Ｐｗである加熱パルスと、記録媒体上に刻まれたアドレス情報の元となる案内溝であるウォブルを読むための光出力Ｐｒからなるシングルパルス波形をしている。
【０００７】
マーク長を制御、すなわちマーク形状を制御するのに必要な先頭マーク形状を決める光出力の立上りタイミング幅Ｔｓ、またマーク中央部及び後方エッジ部分とマーク長を決めるパルス幅Ｔｔｏｐから成っている。
また、図３４に示すようにマーク長が長い（例えば長さ１０Ｔのマーク）の場合のマルチパルス波形を用いる場合もある。マルチパルスを使用した場合の光波形を図３４に示す。図３４でも先頭マーク形状を決定するＴｓ及びＴｔｏｐ、後方マーク形状を決定するパルス幅Ｔｌｐ及びマーク形状中央部を形成するためのＴｍｐからなる。
【０００８】
上述のようなシングルパルス波形及びマルチパルス波形や高速対応記録媒体により、記録の高速化が進んできているが、一方で記録媒体としては記録速度のマージンは限界に近づいてきている。
特に、高速記録媒体では、記録材料の感度などの特性上、記録速度のマージンを広くすることが困難になりつつあり、記録パワーの精度を高めないと、個々の記録媒体は高速対応または低速対応といった記録速度に限定されたものとなってしまう。
すなわち、高速化に伴い書込み時の記録媒体への光強度の制御が重要となってきている。
【０００９】
そこで近年、ライトストラテジと呼ばれる記録パワーをパルス分割し、記録パワーを多値化することにより記録パワーを高速かつ高精度に制御する技術が必須となっている。高精度な記録パワー制御に伴いＬＤ光出力電流を制御するＬＤドライバは、複数の電流をスイッチングする必要があり、入力する信号線が増加する。
また、さらなる記録高速化のためにパルス分割幅はより細分化され、記録パワーの多値レベル数をより増やすことが要求されることが予想される。
【００１０】
従来、複数の電流源をスイッチング手段を介してＬＤに電流を供給するＬＤ駆動手段と、記録媒体に記録する２値化信号に対応して駆動波形を復元・駆動する駆動波形復元手段を同一の光源駆動集積回路に備える光源駆動装置（例えば、特許文献１参照）があった。
【特許文献１】特開平１１−２８３２４９号公報
【発明の開示】
【発明が解決しようとする課題】
【００１１】
ところで、記録速度の高速化に伴って基準クロック周期Ｔが短くなリ、従来のようにマルチパルスによって記録を行うことが困難になりつつあったが、これまでマルチパルスにて記録していたマーク長をシングルパルスに変更することにより高速記録に対応してきた。
一方、従来のシングルパルスによる記録波形は、図３５に示すように、記録パワーＰＷはすべてのマーク長で一定であり、駆動電流の分解能を高めるために基準クロックＷＣＫの逓倍クロックを利用して、例えば駆動電流タイミング位相Ｔｓやパルス幅Ｔｔｏｐの時間分解能を上げることで記録パワーの分解能を高めていた。
【００１２】
しかしながら、従来の光源駆動装置では、上述したように記録速度の高速化に伴い、記録媒体上に所望の記録マークを形成するために必要な記録パワ−マージンは狭くなり、光パルス時間分解能を高めることだけでは所望の記録マークを形成することは困難であるという問題があった。
この発明は上記の点に鑑みてなされたものであり、シングル／マルチパルスに対して高速な光出力変調を実現するとともに、光源の光出力分解能の精度を向上させることを目的とする。
【課題を解決するための手段】
【００１３】
この発明は上記の目的を達成するため、次の（１）〜（１０）の各情報記録方法を提供する。
（１）光源にシングルパルス信号によってシングルパルス光と上記シングルパルス信号と異なるパルス時間幅のパルス光を発光させる付加パルス信号によって付加パルス光とを発光させ、その発光させた上記シングルパルス光と上記付加パルス光とを記録媒体に照射し、上記記録媒体の記録層に記録マークを形成して情報を記録する情報記録方法において、上記記録媒体の記録速度、上記記録マークの長さ、又は前後のスペースの長さに応じて、上記付加パルス信号のオンオフを任意に設定する情報記録方法。
【００１４】
（２）上記（１）の情報記録方法において、上記付加パルス信号は、上記シングルパルス信号によるシングルパルス光に上記光源の光出力を減算する減算パルス信号である情報記録方法。
（３）上記（１）又は（２）の情報記録方法において、上記付加パルス信号は、パルス時間幅又はパルス発生位置のうちの少なくともいずれか１つを任意に設定する信号である情報記録方法。
（４）上記（１）〜（３）のいずれかの情報記録方法において、上記付加パルス信号は、上記光源の光出力を任意に設定する信号である情報記録方法。
【００１５】
（５）上記（１）〜（４）のいずれかの情報記録方法において、上記付加パルス信号は、上記シングルパルス幅を分割した先頭部分割パルス信号と中央部分割パルス信号と後方部分割パルス信号からなる分割付加パルス信号である情報記録方法。
（６）上記（５）の情報記録方法において、上記記録媒体の記録速度、上記記録マークの長さ、又は前後のスペースの長さに応じて、上記分割付加パルス信号の先頭部分割パルス信号と中央部分割パルス信号と後方部分割パルス信号のうちの少なくとも１つのオンオフを設定する情報記録方法。
【００１６】
（７）先頭パルス部と、複数個の中央パルス部と、後部パルス部で構成されるマルチパルス信号によりマルチパルス光を光源に発光させて記録媒体上に情報を記録する際に、上記マルチパルス信号の先頭部パルス部と複数個の中央部パルス部と後部パルス部の各パルス部に、先頭付加パルス信号部と中央付加パルス信号部と後方付加パルス信号部からなるマルチ付加パルス信号を少なくとも１つ付加することによって上記記録媒体の記録層に記録マークを形成して情報を記録する情報記録方法において、上記記録媒体の記録速度、上記記録マークの長さ、又は前後のスペースの長さに応じて、上記マルチ付加パルス信号の先頭付加パルス信号部と中央付加パルス信号と後方付加パルス信号のうちのいずれかの１つのオンオフを任意に設定する情報記録方法。
【００１７】
（８）上記（７）の情報記録方法において、上記マルチ付加パルス信号は、上記マルチパルス信号に上記光源の光出力を減算する減算パルス信号である情報記録方法。
（９）上記（７）又は（８）の情報記録方法において、上記マルチ付加パルス信号は、上記先頭付加パルス信号部と上記中央付加パルス信号部と上記後方付加パルス信号部の、パルス時間幅とパルス発生位置の少なくともいずれか一方を任意に設定する信号である情報記録方法。
（１０）上記（７）又は（８）の情報記録方法において、上記マルチ付加パルス信号は、上記光源の光出力を任意に設定する信号である情報記録方法。
【００１８】
（１１）次の第１の行程から第２１の行程のうちの少なくともいずれか２つの行程からなる情報記録方法。
光源にシングルパルス信号によってシングルパルス光と上記シングルパルス信号と異なるパルス時間幅のパルス光を発光させる付加パルス信号によって付加パルス光とを発光させ、その発光させた上記シングルパルス光と上記付加パルス光とを記録媒体に照射し、上記記録媒体の記録層に記録マークを形成して情報を記録する際に、上記記録媒体の記録速度、上記記録マークの長さ、又は前後のスペースの長さに応じて、上記付加パルス信号のオンオフを任意に設定する第１の行程。
【００１９】
光源にシングルパルス信号によってシングルパルス光と上記シングルパルス信号と異なるパルス時間幅のパルス光を発光させる付加パルス信号によって付加パルス光とを発光させ、その発光させた上記シングルパルス光と上記付加パルス光とを記録媒体に照射し、上記記録媒体の記録層に記録マークを形成して情報を記録する際に、上記記録媒体の記録速度、上記記録マークの長さ、又は前後のスペースの長さに応じて、上記付加パルス信号のオンオフを任意に設定し、上記付加パルス信号は、上記シングルパルス信号によるシングルパルス光に上記光源の光出力を減算する減算パルス信号である第２の行程。
【００２０】
光源にシングルパルス信号によってシングルパルス光と上記シングルパルス信号と異なるパルス時間幅のパルス光を発光させる付加パルス信号によって付加パルス光とを発光させ、その発光させた上記シングルパルス光と上記付加パルス光とを記録媒体に照射し、上記記録媒体の記録層に記録マークを形成して情報を記録する際に、上記記録媒体の記録速度、上記記録マークの長さ、又は前後のスペースの長さに応じて、上記付加パルス信号のオンオフを任意に設定し、上記付加パルス信号は、パルス時間幅又はパルス発生位置のうちの少なくともいずれか１つを任意に設定する信号である第３の行程。
【００２１】
光源にシングルパルス信号によってシングルパルス光と上記シングルパルス信号と異なるパルス時間幅のパルス光を発光させる付加パルス信号によって付加パルス光とを発光させ、その発光させた上記シングルパルス光と上記付加パルス光とを記録媒体に照射し、上記記録媒体の記録層に記録マークを形成して情報を記録する際に、上記記録媒体の記録速度、上記記録マークの長さ、又は前後のスペースの長さに応じて、上記付加パルス信号のオンオフを任意に設定し、上記付加パルス信号は、上記シングルパルス信号によるシングルパルス光に上記光源の光出力を減算する減算パルス信号であり、且つパルス時間幅又はパルス発生位置のうちの少なくともいずれか１つを任意に設定する信号である第４の行程。
【００２２】
光源にシングルパルス信号によってシングルパルス光と上記シングルパルス信号と異なるパルス時間幅のパルス光を発光させる付加パルス信号によって付加パルス光とを発光させ、その発光させた上記シングルパルス光と上記付加パルス光とを記録媒体に照射し、上記記録媒体の記録層に記録マークを形成して情報を記録する際に、上記記録媒体の記録速度、上記記録マークの長さ、又は前後のスペースの長さに応じて、上記付加パルス信号のオンオフを任意に設定し、上記付加パルス信号は、上記光源の光出力を任意に設定する信号である第５の行程。
【００２３】
光源にシングルパルス信号によってシングルパルス光と上記シングルパルス信号と異なるパルス時間幅のパルス光を発光させる付加パルス信号によって付加パルス光とを発光させ、その発光させた上記シングルパルス光と上記付加パルス光とを記録媒体に照射し、上記記録媒体の記録層に記録マークを形成して情報を記録する際に、上記記録媒体の記録速度、上記記録マークの長さ、又は前後のスペースの長さに応じて、上記付加パルス信号のオンオフを任意に設定し、上記付加パルス信号は、上記シングルパルス信号によるシングルパルス光に上記光源の光出力を減算する減算パルス信号であり、且つ上記光源の光出力を任意に設定する信号である第６の行程。
【００２４】
光源にシングルパルス信号によってシングルパルス光と上記シングルパルス信号と異なるパルス時間幅のパルス光を発光させる付加パルス信号によって付加パルス光とを発光させ、その発光させた上記シングルパルス光と上記付加パルス光とを記録媒体に照射し、上記記録媒体の記録層に記録マークを形成して情報を記録する際に、上記記録媒体の記録速度、上記記録マークの長さ、又は前後のスペースの長さに応じて、上記付加パルス信号のオンオフを任意に設定し、上記付加パルス信号は、パルス時間幅又はパルス発生位置のうちの少なくともいずれか１つを任意に設定する信号であり、且つ上記光源の光出力を任意に設定する信号である第７の行程。
【００２５】
光源にシングルパルス信号によってシングルパルス光と上記シングルパルス信号と異なるパルス時間幅のパルス光を発光させる付加パルス信号によって付加パルス光とを発光させ、その発光させた上記シングルパルス光と上記付加パルス光とを記録媒体に照射し、上記記録媒体の記録層に記録マークを形成して情報を記録する際に、上記記録媒体の記録速度、上記記録マークの長さ、又は前後のスペースの長さに応じて、上記付加パルス信号のオンオフを任意に設定し、上記付加パルス信号は、上記シングルパルス幅を分割した先頭部分割パルス信号と中央部分割パルス信号と後方部分割パルス信号からなる分割付加パルス信号である第８の行程。
【００２６】
光源にシングルパルス信号によってシングルパルス光と上記シングルパルス信号と異なるパルス時間幅のパルス光を発光させる付加パルス信号によって付加パルス光とを発光させ、その発光させた上記シングルパルス光と上記付加パルス光とを記録媒体に照射し、上記記録媒体の記録層に記録マークを形成して情報を記録する際に、上記記録媒体の記録速度、上記記録マークの長さ、又は前後のスペースの長さに応じて、上記付加パルス信号のオンオフを任意に設定し、上記付加パルス信号は、上記シングルパルス信号によるシングルパルス光に上記光源の光出力を減算する減算パルス信号であり、且つ上記シングルパルス幅を分割した先頭部分割パルス信号と中央部分割パルス信号と後方部分割パルス信号からなる分割付加パルス信号である第９の行程。
【００２７】
光源にシングルパルス信号によってシングルパルス光と上記シングルパルス信号と異なるパルス時間幅のパルス光を発光させる付加パルス信号によって付加パルス光とを発光させ、その発光させた上記シングルパルス光と上記付加パルス光とを記録媒体に照射し、上記記録媒体の記録層に記録マークを形成して情報を記録する際に、上記記録媒体の記録速度、上記記録マークの長さ、又は前後のスペースの長さに応じて、上記付加パルス信号のオンオフを任意に設定し、上記付加パルス信号は、パルス時間幅又はパルス発生位置のうちの少なくともいずれか１つを任意に設定する信号であり、且つ上記シングルパルス幅を分割した先頭部分割パルス信号と中央部分割パルス信号と後方部分割パルス信号からなる分割付加パルス信号である第１０の行程。
【００２８】
光源にシングルパルス信号によってシングルパルス光と上記シングルパルス信号と異なるパルス時間幅のパルス光を発光させる付加パルス信号によって付加パルス光とを発光させ、その発光させた上記シングルパルス光と上記付加パルス光とを記録媒体に照射し、上記記録媒体の記録層に記録マークを形成して情報を記録する際に、上記記録媒体の記録速度、上記記録マークの長さ、又は前後のスペースの長さに応じて、上記付加パルス信号のオンオフを任意に設定し、上記付加パルス信号は、上記シングルパルス信号によるシングルパルス光に上記光源の光出力を減算する減算パルス信号であり、パルス時間幅又はパルス発生位置のうちの少なくともいずれか１つを任意に設定する信号であり、且つ上記シングルパルス幅を分割した先頭部分割パルス信号と中央部分割パルス信号と後方部分割パルス信号からなる分割付加パルス信号である第１１の行程。
【００２９】
光源にシングルパルス信号によってシングルパルス光と上記シングルパルス信号と異なるパルス時間幅のパルス光を発光させる付加パルス信号によって付加パルス光とを発光させ、その発光させた上記シングルパルス光と上記付加パルス光とを記録媒体に照射し、上記記録媒体の記録層に記録マークを形成して情報を記録する際に、上記記録媒体の記録速度、上記記録マークの長さ、又は前後のスペースの長さに応じて、上記付加パルス信号のオンオフを任意に設定し、上記付加パルス信号は、上記シングルパルス幅を分割した先頭部分割パルス信号と中央部分割パルス信号と後方部分割パルス信号からなる分割付加パルス信号であり、上記記録媒体の記録速度、上記記録マークの長さ、又は前後のスペースの長さに応じて、上記分割付加パルス信号の先頭部分割パルス信号と中央部分割パルス信号と後方部分割パルス信号のうちの少なくとも１つのオンオフを設定する第１２の行程。
【００３０】
光源にシングルパルス信号によってシングルパルス光と上記シングルパルス信号と異なるパルス時間幅のパルス光を発光させる付加パルス信号によって付加パルス光とを発光させ、その発光させた上記シングルパルス光と上記付加パルス光とを記録媒体に照射し、上記記録媒体の記録層に記録マークを形成して情報を記録する際に、上記記録媒体の記録速度、上記記録マークの長さ、又は前後のスペースの長さに応じて、上記付加パルス信号のオンオフを任意に設定し、上記付加パルス信号は、上記シングルパルス信号によるシングルパルス光に上記光源の光出力を減算する減算パルス信号であり、且つ上記シングルパルス幅を分割した先頭部分割パルス信号と中央部分割パルス信号と後方部分割パルス信号からなる分割付加パルス信号であり、上記記録媒体の記録速度、上記記録マークの長さ、又は前後のスペースの長さに応じて、上記分割付加パルス信号の先頭部分割パルス信号と中央部分割パルス信号と後方部分割パルス信号のうちの少なくとも１つのオンオフを設定する第１３の行程。
【００３１】
光源にシングルパルス信号によってシングルパルス光と上記シングルパルス信号と異なるパルス時間幅のパルス光を発光させる付加パルス信号によって付加パルス光とを発光させ、その発光させた上記シングルパルス光と上記付加パルス光とを記録媒体に照射し、上記記録媒体の記録層に記録マークを形成して情報を記録する際に、上記記録媒体の記録速度、上記記録マークの長さ、又は前後のスペースの長さに応じて、上記付加パルス信号のオンオフを任意に設定し、上記付加パルス信号は、パルス時間幅又はパルス発生位置のうちの少なくともいずれか１つを任意に設定する信号であり、且つ上記シングルパルス幅を分割した先頭部分割パルス信号と中央部分割パルス信号と後方部分割パルス信号からなる分割付加パルス信号であり、上記記録媒体の記録速度、上記記録マークの長さ、又は前後のスペースの長さに応じて、上記分割付加パルス信号の先頭部分割パルス信号と中央部分割パルス信号と後方部分割パルス信号のうちの少なくとも１つのオンオフを設定する第１４の行程。
【００３２】
光源にシングルパルス信号によってシングルパルス光と上記シングルパルス信号と異なるパルス時間幅のパルス光を発光させる付加パルス信号によって付加パルス光とを発光させ、その発光させた上記シングルパルス光と上記付加パルス光とを記録媒体に照射し、上記記録媒体の記録層に記録マークを形成して情報を記録する際に、上記記録媒体の記録速度、上記記録マークの長さ、又は前後のスペースの長さに応じて、上記付加パルス信号のオンオフを任意に設定し、上記付加パルス信号は、上記シングルパルス信号によるシングルパルス光に上記光源の光出力を減算する減算パルス信号であり、パルス時間幅又はパルス発生位置のうちの少なくともいずれか１つを任意に設定する信号であり、且つ上記シングルパルス幅を分割した先頭部分割パルス信号と中央部分割パルス信号と後方部分割パルス信号からなる分割付加パルス信号であり、上記記録媒体の記録速度、上記記録マークの長さ、又は前後のスペースの長さに応じて、上記分割付加パルス信号の先頭部分割パルス信号と中央部分割パルス信号と後方部分割パルス信号のうちの少なくとも１つのオンオフを設定する第１５の行程。
【００３３】
先頭パルス部と、複数個の中央パルス部と、後部パルス部で構成されるマルチパルス信号によりマルチパルス光を光源に発光させて記録媒体上に情報を記録する際に、上記マルチパルス信号の先頭部パルス部と複数個の中央部パルス部と後部パルス部の各パルス部に、先頭付加パルス信号部と中央付加パルス信号部と後方付加パルス信号部からなるマルチ付加パルス信号を少なくとも１つ付加することによって上記記録媒体の記録層に記録マークを形成して情報を記録する際、上記記録媒体の記録速度、上記記録マークの長さ、又は前後のスペースの長さに応じて、上記マルチ付加パルス信号の先頭付加パルス信号部と中央付加パルス信号と後方付加パルス信号のうちのいずれかの１つのオンオフを任意に設定する第１６の行程。
【００３４】
先頭パルス部と、複数個の中央パルス部と、後部パルス部で構成されるマルチパルス信号によりマルチパルス光を光源に発光させて記録媒体上に情報を記録する際に、上記マルチパルス信号の先頭部パルス部と複数個の中央部パルス部と後部パルス部の各パルス部に、先頭付加パルス信号部と中央付加パルス信号部と後方付加パルス信号部からなるマルチ付加パルス信号を少なくとも１つ付加することによって上記記録媒体の記録層に記録マークを形成して情報を記録する際、上記記録媒体の記録速度、上記記録マークの長さ、又は前後のスペースの長さに応じて、上記マルチ付加パルス信号の先頭付加パルス信号部と中央付加パルス信号と後方付加パルス信号のうちのいずれかの１つのオンオフを任意に設定し、上記マルチ付加パルス信号は、上記マルチパルス信号に上記光源の光出力を減算する減算パルス信号である第１７の行程。
【００３５】
先頭パルス部と、複数個の中央パルス部と、後部パルス部で構成されるマルチパルス信号によりマルチパルス光を光源に発光させて記録媒体上に情報を記録する際に、上記マルチパルス信号の先頭部パルス部と複数個の中央部パルス部と後部パルス部の各パルス部に、先頭付加パルス信号部と中央付加パルス信号部と後方付加パルス信号部からなるマルチ付加パルス信号を少なくとも１つ付加することによって上記記録媒体の記録層に記録マークを形成して情報を記録する際、上記記録媒体の記録速度、上記記録マークの長さ、又は前後のスペースの長さに応じて、上記マルチ付加パルス信号の先頭付加パルス信号部と中央付加パルス信号と後方付加パルス信号のうちのいずれかの１つのオンオフを任意に設定し、上記マルチ付加パルス信号は、上記先頭付加パルス信号部と上記中央付加パルス信号部と上記後方付加パルス信号部の、パルス時間幅とパルス発生位置の少なくともいずれか一方を任意に設定する信号である第１８の行程。
【００３６】
先頭パルス部と、複数個の中央パルス部と、後部パルス部で構成されるマルチパルス信号によりマルチパルス光を光源に発光させて記録媒体上に情報を記録する際に、上記マルチパルス信号の先頭部パルス部と複数個の中央部パルス部と後部パルス部の各パルス部に、先頭付加パルス信号部と中央付加パルス信号部と後方付加パルス信号部からなるマルチ付加パルス信号を少なくとも１つ付加することによって上記記録媒体の記録層に記録マークを形成して情報を記録する際、上記記録媒体の記録速度、上記記録マークの長さ、又は前後のスペースの長さに応じて、上記マルチ付加パルス信号の先頭付加パルス信号部と中央付加パルス信号と後方付加パルス信号のうちのいずれかの１つのオンオフを任意に設定し、上記マルチ付加パルス信号は、上記マルチパルス信号に上記光源の光出力を減算する減算パルス信号であり、且つ上記先頭付加パルス信号部と上記中央付加パルス信号部と上記後方付加パルス信号部の、パルス時間幅とパルス発生位置の少なくともいずれか一方を任意に設定する信号である第１９の行程。
【００３７】
先頭パルス部と、複数個の中央パルス部と、後部パルス部で構成されるマルチパルス信号によりマルチパルス光を光源に発光させて記録媒体上に情報を記録する際に、上記マルチパルス信号の先頭部パルス部と複数個の中央部パルス部と後部パルス部の各パルス部に、先頭付加パルス信号部と中央付加パルス信号部と後方付加パルス信号部からなるマルチ付加パルス信号を少なくとも１つ付加することによって上記記録媒体の記録層に記録マークを形成して情報を記録する際、上記記録媒体の記録速度、上記記録マークの長さ、又は前後のスペースの長さに応じて、上記マルチ付加パルス信号の先頭付加パルス信号部と中央付加パルス信号と後方付加パルス信号のうちのいずれか１つのオンオフを任意に設定し、上記マルチ付加パルス信号は、上記光源の光出力を任意に設定する信号である第２０の行程。
【００３８】
先頭パルス部と、複数個の中央パルス部と、後部パルス部で構成されるマルチパルス信号によりマルチパルス光を光源に発光させて記録媒体上に情報を記録する際に、上記マルチパルス信号の先頭部パルス部と複数個の中央部パルス部と後部パルス部の各パルス部に、先頭付加パルス信号部と中央付加パルス信号部と後方付加パルス信号部からなるマルチ付加パルス信号を少なくとも１つ付加することによって上記記録媒体の記録層に記録マークを形成して情報を記録する際、上記記録媒体の記録速度、上記記録マークの長さ、又は前後のスペースの長さに応じて、上記マルチ付加パルス信号の先頭付加パルス信号部と中央付加パルス信号と後方付加パルス信号のうちのいずれかの１つのオンオフを任意に設定し、上記マルチ付加パルス信号は、上記マルチパルス信号に上記光源の光出力を減算する減算パルス信号であり、且つ上記光源の光出力を任意に設定する信号である第２１の行程。
【００３９】
また、次の（１２）のレーザ駆動回路と（１３）の情報記録装置も提供する。
（１２）上記（１）〜（１１）のいずれか一項に記載の情報記録方法を実行する手段を備えたレーザ駆動回路。
（１３）上記（１２）のレーザ駆動回路を備えた情報記録装置。
【発明の効果】
【００４０】
この発明による情報記録方法とレーザ駆動回路と情報記録装置は、シングル／マルチパルスに対して高速な光出力変調を実現するとともに、光源の光出力分解能の精度を向上させることができる。
【発明を実施するための最良の形態】
【００４１】
以下、この発明を実施するための最良の形態を図面に基づいて具体的に説明する。
図１は、この発明の一実施形態である情報記録再生装置の全体構成の一部を示すブロック図である。
この情報記録再生装置は、ＣＤ−Ｒディスク、ＣＤ−ＲＷディスク、ＤＶＤ−Ｒディスク、ＤＶＤ−ＲＷディスク、ＤＶＤ−ＲＡＭディスク，ＤＶＤ＋ＲＷディスク，ＭＯディスク等の光ディスクを用いた記録媒体（情報記録媒体）１０上にレーザダイオード（ＬＤ）等の半導体レーザ光源（光源）７から発光させたシングルパルス光を照射して情報（データ）を記録又は再生するＣＤ−Ｒドライブ装置、ＣＤ−ＲＷドライブ装置、ＤＶＤ−Ｒドライブ装置、ＤＶＤ−ＲＷドライブ装置、ＤＶＤ−ＲＡＭドライブ装置、ＤＶＤ＋ＲＷドライブ装置、ＭＯドライブ装置などの光ディスクドライブ装置であり、ＥＦＭ変調コードを用いてマークエッジ記録を行うものである。
【００４２】
次に、図１に示す情報記録再生装置の各部を説明する。
光ピックアップ５は、光源（ＬＤ）７からの出射光を記録媒体１０に照射してデータ（情報）の記録を行ったり、記録媒体１０からの照射光に対する反射光を光検出器８で受光して受光信号に変換するものであり、ＬＤ７やＬＤ７を駆動するレーザドライバ６、記録媒体１０からの反射光を受光する受光部（図示を省略）やＬＤ７からの出射光の一部を受光するモニタ受光部（図示を省略）を備える光検出器８、さらに記録媒体１０へのＬＤ７からの出射光の集光等を行うレンズ、ミラー等で構成される光学系（公知であり図示省略）が配置されている。
【００４３】
また、光検出器８に配置されたＬＤ７からの出射光に一部をモニタするモニタ受光部（公知であり図示省略）により検出されるモニタ受光信号からＬＤ７の出射光量変動を制御する。ＬＤ７から出力される光出力Ｐｏは一般にＬＤ７の微分量子効率η、ＬＤしきい値電流をＩｔｈ、ＬＤ駆動電流Ｉｏｐとしたとき次の数１に基づく演算処理で求めることができる。
（数１）Ｐｏ＝η（Ｉｏｐ−Ｉｔｈ）
【００４４】
例えば、光検出器８から得られたＬＤ７が光出力を始めるしきい値電流Ｉｔｈを求め、Ｉｂｉａｓ＝Ｉｔｈとなるようにオートパワーコントロール（Ａｕｔｏ  Ｐｏｗｅｒ  Ｃｏｎｔｒｏｌ：ＡＰＣ）をかけ、レーザドライバ６に入力する。
【００４５】
また、さらには、記録媒体１０の照射光に対する傾き（「チルト」と呼ぶ）を検知するためのチルト検出受光部（同じく公知であり、図示を省略）などが配置される場合もある。さらにまた、異なる媒体フォーマットが定められた複数種類の記録媒体に対応する情報記録再生装置の場合（例えば、ＤＶＤ及びＣＤ両対応装置など）、それぞれの記録媒体に好適な波長の光源を持つ場合があり、それぞれの光源出射時に記録媒体からの反射光を受光する受光部やモニタ受光部を別個に備える場合もある。
【００４６】
信号処理部４は、光ピックアップ５に配置された各種受光部からの受光信号が入力され、様々な信号処理が行われる。
例えば、受光信号から情報を再生したり、記録媒体１０の回転に伴う面振れやトラックの半径方向の振れなどの変動に対して常に所定の誤差内で光を照射するように制御（フォーカスサーボ制御及びトラックサーボ制御）するために受光信号からサーボエラー信号を生成し、そのサーボエラー信号に従って光ピックアップ５を制御する。
また、記録すべき情報を所定の規則に従って変調し、記録信号としてＬＤ７（またはレーザドライバ６）に出力したり、ＬＤ７の出力光量制御を行う。
【００４７】
スピンドルモータ９は、記録媒体１０を回転させるものであり、信号処理部４によって回転速度が制御（スピンドルサーボ制御）される。ＣＬＶ回転制御を行う際には、より精度よく回転制御をするために記録媒体１０に埋め込まれた回転制御信号を光ピックアップ５を介して検出し、その回転制御信号に基づいて回転制御を行う。回転制御信号には、例えば再生情報記録媒体などでは記録された情報に所定間隔で配置された同期信号や、記録可能な情報記録媒体では記録トラックが所定の周波数で蛇行したウォブルなどを用いる。
【００４８】
コントローラ３は、例えばスカジー（Ｓｍａｌｌ  Ｃｏｍｐｕｔｅｒ  Ｓｙｓｔｅｍ  Ｉｎｔｅｒｆａｃｅ：ＳＣＳＩ）やアタピー（ＡＴ  Ａｔｔａｃｈｅｄ  Ｐａｃｋｅｔ  Ｉｎｔｅｒｆａｃｅ：ＡＴＡＰＩ）の規格に則ったインタフェース制御回路２を介して、ホストコンピュータ１との記録する情報と再生した情報の受け渡しやコマンド通信を行って装置全体の制御を行う。
なお、光ピックアップ５は記録媒体１０の半径方向に可動（この動作を「シーク動作」と呼ぶ）させるため、光ピックアップ５と信号処理部４等が搭載されている回路基板とはフレキシブルプリント回路（Ｆｌｅｘｉｂｌｅ  Ｐｒｉｎｔ  Ｃｉｒｃｕｉｔ：ＦＰＣ）基板（またはケーブル）と呼ばれる基板（またはケーブル）で接続されるのが一般であり、ＬＤ７や光検出器８等の光ピックアップ５に搭載される部品はこのＦＰＣ基板に実装されることも多い。
【００４９】
次に、この情報記録再生装置におけるこの発明に係るストラテジの出力を実現するためのレーザドライバ６の内部構成について説明する。
図２は、図１に示すレーザドライバ６の内部構成を示すブロック図であり、図１と共通する部分には同一符号を付している。
レーザドライバ６は、クロック生成部２０、マーク／スペース長検出部２１、タイミング制御部２２、記録波形設定値記憶部２３、駆動電流生成部（駆動電流制御部）２４、制御インタフェース（Ｉ／Ｆ）２５からなる。
【００５０】
［クロック生成部２０］
クロック生成部２０は、ＥＦＭ信号のデータ長の基準となる基準クロック信号ＷＣＫおよびストラテジパラメータ制御するための記録クロック信号ＳＴＣＫ０〜ＳＴＣＫ７を生成する。上記基準クロック信号ＷＣＫと記録クロック信号ＳＴＣＫ０〜ＳＴＣＫ７は記録媒体に刻まれた案内溝のウォブルにより発生する正弦波信号ＷＢＬＣＫを入力し、２値化処理等を行い、逓倍や分周、シフトして生成される記録クロックや分周器等により記録速度に適した基準クロック信号ＷＣＫを生成して出力する。
【００５１】
図６は、図２に示すクロック生成部２０の内部構成を示すブロック図である。
クロック生成部２０は、図６に示すように、基準クロック発生部２００と記録クロック発生部２２０とからなり、基準クロック発生部２００は第１分周器２１０、位相比較器２１１、フィルタ２１２、第２分周器２１３、ＶＣＯ２１４からなり、記録クロック発生部２２０は第３分周器２２１を備えている。
【００５２】
また、クロック生成部２０としては、図３の（ａ）に示すように、逓倍クロック生成部２０１を有し、入力された正弦波信号ＷＢＬＣＫを逓倍した信号ＮＣＫを記録クロック信号として出力するものにしてもよいし（図３の（ｂ）に正弦波信号ＷＢＬＣＫと信号ＮＣＫの一例を示す）、図７の（ａ）に示すように、記録クロック生成部２０４を有し、分周した信号１／ＮＣＫを記録クロック信号として出力するものにしてもよい（図７の（ｂ）に正弦波信号ＷＢＬＣＫと信号ＮＣＫの一例を示す）。
【００５３】
また、図４の（ａ）に示すように、記録クロック生成部２０２を有し、それらの信号の位相をシフトした信号ＳＦＴＣＫを記録クロック信号として出力するものにしてもよいし（図４の（ｂ）に正弦波信号ＷＢＬＣＫと信号ＳＦＴＣＫ０〜ＳＦＴＣＫ７の一例を示す）、図５の（ａ）に示すように、記録クロック生成部２０３を有し、それらの信号の周期を１／２にして位相をシフトした信号ＳＴＣＫを出力するものにしてもよい（図５の（ｂ）に正弦波信号ＷＢＬＣＫと信号ＳＴＣＫ０〜ＳＴＣＫ７の一例を示す）。
【００５４】
クロック生成部２０で生成された信号である記録クロック信号及び基準クロック信号ＷＣＫを、記録波形設定値記憶部２３、タイミング制御部２２、マーク／スペース長検出部２１に出力し、記録波形設定値記憶部２３、タイミング制御部２２の動作クロックとして用いる。
【００５５】
図６は、クロック生成部２０の一例としてフェーズロックドループ（Ｐｈａｓｅ  Ｌｏｃｋｅｄ  Ｌｏｏｐ：ＰＬＬ）回路を用いた構成を示す図である。
入力された正弦波信号ＷＢＬＣＫを分周した信号をリファレンス信号とし、電圧制御発振器（Ｖｏｌｔａｇｅ−Ｃｏｎｔｒｏｌｌｅｄ  Ｏｓｃｉｌｌａｔｏｒ：ＶＣＯ）２１４から出力され、第２分周器２１３により１／Ｎ分周された内部フィードバック信号とする。そのリファレンス信号と内部フィードバック信号の位相の違いを位相比較器（Ｐｈａｓｅ  Ｃｏｍｐａｒａｔｏｒ）２１１により検出し、その位相差を電圧としてＶＣＯ２１４にフィードバックして制御する。また、内部フィードバック信号をＭ／８位相シフトした記録クロック信号ＳＴＣＫ０〜ＳＴＣＫ７及び記録速度に適した基準クロック信号ＷＣＫを出力する。また第１分周器２１０、第２分周器２１３の設定はコントローラ３により変更可能である。
【００５６】
［マーク／スペース長検出部２１］
マーク／スペース長検出部２１は、コントローラ３、信号処理部４を介して記録媒体１０への情報であるユーザーデータをＥＦＭ信号として入力し、検出されたＥＦＭスペース／マーク長を所望の光出力に必要なストラテジ設定値を呼び出すために記録波形設定値記憶部２３へ送る。
【００５７】
［記録波形設定値記憶部２３］
記録波形設定値記憶部２３は、記録波形形状の設定値を記憶している部分である。上記設定値は後述するストラテジパラメータや光出力を決定する各Ｄ／Ａコンバータ（以下ＤＡＣ）の設定値を記憶する。また、記憶されているストラテジパラメータやＤＡＣ設定値はコントローラ３から送られるデータから制御Ｉ／Ｆ２５（例えばシリアルＩ／Ｆ）を介して変更される。また、該記憶部にはマーク／スペース長検出部２１から入力されたＥＦＭのマーク／スペース長データから所望のマーク形状を形成するための記録波形の形状を決める設定値を呼び出しタイミング制御部２２に出力する。上記ストラテジパラメータやＤＡＣ設定値は記録速度や記録媒体、マーク／スペース長検出部２１から入力されるマークスペース長信号に応じて設定されているものである。
【００５８】
［タイミング制御部２２］
タイミング制御部２２は、クロック生成部２０から入力される記録クロック信号（例えばＳＴＣＫ０〜ＳＴＣＫ７）や基準クロック信号ＷＣＫ、信号処理部４から入力されるＥＦＭ、記録波形設定値記憶部２３から入力される後述するストラテジパラメータ設定値により、所望のストラテジを形成するためのストラテジ制御信号を生成して出力する。
上記ストラテジ制御信号は、例えば図８、図９及び図２８中に示す各デジタル信号ＰＷＥＮ、Ｐ１ＥＮ、Ｐ２ＥＮ、ＰＵＥＮ、ＰＲＥＮである。
【００５９】
上記ストラテジ制御信号は、上記記録クロック信号ＳＴＣＫをクロックとしたカウンタを内蔵した各ストラテジ制御信号生成回路ＰＷＥＮＧｅｎ２３０、Ｐ１ＥＮＧｅｎ２３１、Ｐ２ＥＮＧｅｎ２３２、ＰＵＥＮＧｅｎ２３３、ＰＲＥＮＧｅｎ２３４により生成され、ＬＤ７への駆動電流を発生する駆動電流生成部２４へ出力する。
また、タイミング制御部２２から駆動電流生成部２４へ出力される上記信号は高速で変調するため、タイミング制御部２２と駆動電流生成部２４はＬＶＤＳ等の差動信号で接続されても良い。また前記差動信号にすることにより、信号間スキューの減少や信号のノイズ耐性を向上させる効果もある。
【００６０】
［駆動電流生成部２４］
図９は、図２に示す駆動電流生成部２４の内部構成例を示すブロック図である。
駆動電流生成部２４は、本発明に係るストラテジを生成する為に複数のＤ／ＡコンバータＰＷＤＡＣ２４１、Ｐ１ＤＡＣ２４２、Ｐ２ＤＡＣ２４３、ＰＵＤＡＣ２４４、ＰＲＤＡＣ２４５を備える。
図中のＩｂｉａｓはＬＤ７のバイアス電流Ｉｂｉａｓを設定するものであり、上述のようにＩｂｉａｓ＝ＩｔｈとなるようにＡＰＣがかけられており、光ピックアップ５から入力される。ＰＷＤＡＣ２４１は従来のシングルパルス波形で用いられている光出力ＰＷを発光するためのＤＡＣである。また、ＰＲＤＡＣ２４５は従来のストラテジで用いられている記録媒体１０上の情報を読込むための光出力ＰＲを発光するためのＤＡＣである。
【００６１】
さらに、Ｐ１ＤＡＣ２４２、Ｐ２ＤＡＣ２４３、ＰＵＤＡＣ２４４は、それぞれストラテジの加算パルスＰ１、Ｐ２及び減算パルスＰＵを出力する為のＤＡＣである。
また、ＰＷＤＡＣ２４１、Ｐ１ＤＡＣ２４２、Ｐ２ＤＡＣ２４３、ＰＵＤＡＣ２４４、ＰＲＤＡＣ２４５の各出力を制御するスイッチを制御するため、タイミング制御部２２はストラテジ制御信号ＰＷＥＮ、Ｐ１ＥＮ、Ｐ２ＥＮ、ＰＵＥＮ、ＰＲＥＮを出力している。これら各ＰＷＤＡＣ２４１、Ｐ１ＤＡＣ２４２、Ｐ２ＤＡＣ２４３、ＰＵＤＡＣ２４４、ＰＲＤＡＣ２４５からの出力電流及びバイアス電流は電流加算回路２４０により加算及び減算されてＬＤ７へ出力される。
【００６２】
また、上述したようにクロック生成部２０、マーク／スペース長検出部２１、記録波形設定値記録部２３、タイミング制御部２２は高速動作するディジタル部であるため微細なＣＭＯＳプロセス（例えば０．１８μ）を使用し、駆動電流生成部２４はＬＤ７を発光駆動させるため高耐圧なプロセス使用し、ワンチップ化することで、高速動作と高耐圧を同時に実現することも可能である。また、ワンチップ化することにより各ストラテジ制御信号間スキューを減少させることも可能である。
【００６３】
次に、この情報記録再生装置のレーザドライバ６から出力される記録波形規則（以下、ストラテジ）について説明する。
そのストラテジは、例えばマーク長のマーク長が短い場合（例えば３Ｔマーク、以降ショートマークと呼ぶ）に用いるシングルパルスと、マーク長の長い場合（例えば１４Ｔマーク、以降ロングマークと呼ぶ）に用いるマルチパルスがある。
まず、ストラテジの第一の例であるシングルパルスストラテジの実施するために必要な構成例を、図８、図９及び図１０を用いて説明する。
図８は上記タイミング制御部２２の構成の一例を示すブロック図であり、図９は上記駆動電流生成部２４の構成の一例を示すブロック図であり、図１０は上記シングルパルスストラテジの波形の一例を示す波形図である。
【００６４】
各ストラテジ制御信号ＰＷＥＮ、Ｐ１ＥＮ、Ｐ２ＥＮ、ＰＵＥＮ、ＰＲＥＮは、図９に示すＰＷＤＡＣ２４１、Ｐ１ＤＡＣ２４２、Ｐ２ＤＡＣ２４３、ＰＵＤＡＣ２４４、ＰＲＤＡＣ２４５と電流加算回路２４０との間にある各スイッチＳＷ１〜ＳＷ５のそれぞれのオンオフを制御する。
【００６５】
ＰＷＤＡＣ２４１、Ｐ１ＤＡＣ２４２、Ｐ２ＤＡＣ２４３、ＰＵＤＡＣ２４４、ＰＲＤＡＣ２４５の各ＤＡＣに備えられたスイッチがオンになると、上述したように制御Ｉ／Ｆ２５を介して設定されたＤＡＣ設定値に基づいた電流を出力し、上記ＰＷＤＡＣ２４１、Ｐ１ＤＡＣ２４２、Ｐ２ＤＡＣ２４３、ＰＵＤＡＣ２４４、ＰＲＤＡＣ２４５から出力された各電流は、例えば光検出器８から算出されたしきい値電流Ｉｔｈと等しい、バイアス電流であるＩｂｉａｓと共に電流加算回路２４０で加算（減算）され、電流加算回路２４０から生成される駆動電流はＬＤ７に入力される。
【００６６】
その入力された駆動電流による光出力を、図１０に示す。
図１０に示すように、光出力ＰｂｉａｓはＩｂｉａｓ電流値による光出力であり、また光出力ＰＷ、ＰＲ、Ｐ１、Ｐ２、ＰＵは各々ＰＷＤＡＣ２４１、Ｐ１ＤＡＣ２４２、Ｐ２ＤＡＣ２４３、ＰＵＤＡＣ２４４、ＰＲＤＡＣ２４５による光出力である。ただし、ＰＵＤＡＣ２４４からの電流値は減算され、その他のＤＡＣからの電流値は加算されるものとする。
【００６７】
一方、各ストラテジ制御信号であるＰＷＥＮ等の形状は、図１０に示すように、ストラテジパラメータであるＴＳＳ、ＴＳＰ、ＴＬＳ、ＴＬＰ、ＴＳＯ、ＴＬＵ、ＴＣＬ、及びＭＥＴ、ＭＥＭ、ＭＥＬにより決定される。
上記ストラテジパラメータは上記記録波形設定値記憶部２３にＥＦＭのマーク／スペース長毎に設定・記憶されており、上記タイミング制御部２２内部の各ストラテジ制御信号生成回路に入力される。
各上記各ストラテジ制御信号生成回路はクロック生成部から入力される記録クロック（例えばＳＴＣＫ０〜ＳＴＣＫ７）をクロックとしたカウンタが内蔵されており、各ストラテジパラメータによって決定する。
【００６８】
次に、各ストラテジパラメータによるストラテジ制御信号の形状について説明する。
ストラテジ制御信号ＰＷＥＮは、ＥＦＭ立上りタイミングからＴＳＳ設定値分だけ遅れて立ち上がり、パルス幅はＴＬＳ＋ＴＬＰ＋（ｎ−３）Ｔと設定される（ただしｎはマーク長、Ｔは基準クロック周期）。
【００６９】
ストラテジ制御信号Ｐ１ＥＮは、先頭部分割パルスＰ１ｔｏｐ、中央部分割パルスＰ１ｍｉｄ、後方部分割パルスＰ１ｌａｓｔの３つの区間に分割されている。それぞれの区間のパルス幅はＴＳＰ、ＴＬＳ＋（ｎ−３）Ｔ−ＴＳＳ−ＴＳＰ−ＴＬＰ、ＴＬＰであり、さらにＭＥＴ、ＭＥＭ、ＭＥＬにより各分割パルスのオンオフが可能である。
例えば、図１０はＭＥＴ＝１、ＭＥＭ＝１、ＭＥＬ＝０と設定した場合であり、先頭部分割パルスの立上りタイミングはＰＷＥＮと一致している。
【００７０】
ストラテジ制御信号Ｐ２ＥＮは、ストラテジ制御信号Ｐ１ＥＮと同様に先頭部分割パルスＰ２ｔｏｐ、中央部分割パルスＰ２ｍｉｄ、後方部分割パルスＰ２ｌａｓｔの３つの区間に分割されている。それぞれの区間のパルス幅はＴＳＰ、ＴＬＳ＋（ｎ−３）Ｔ−ＴＳＳ−ＴＳＰ−ＴＬＰ、ＴＬＰであり、さらにＭＢＴ、ＭＢＭ、ＭＢＬにより各分割パルスのオンオフが可能である。
例えば、図１０はＭＢＴ＝１、ＭＢＭ＝０、ＭＢＬ＝０と設定した場合であり、先頭部分割パルスの立上りタイミングはＰＷＥＮと一致している。
【００７１】
ストラテジ制御信号ＰＵＥＮの立上りタイミングは、ストラテジ制御信号ＰＷＥＮの立下りタイミングと一致しており、パルス幅はＴＬＵ設定値で設定される。またＴＬＵ＝０のときＰＵＥＮはＬ固定とする。
ストラテジ制御信号ＰＲＥＮは、ＭＲＣ＝０のときＨ固定であるが、ＭＲＣ＝１と設定した時はストラテジ制御信号ＰＷＥＮの立下りタイミングと一致してロー“Ｌ”となり、そのパルス幅はＴＣＬ設定値で設定される。
【００７２】
次に、本発明に係るストラテジの第１実施例であるシングルパルスストラテジについて詳細に説明する。
従来の情報記録方法としては、マークポジション記録方法やマークエッジ記録方法があり、特に近年は高密度化が可能であるマークエッジ記録方法が採用されている。
マークエッジ記録方法においては、特に記録媒体上のマーク長精度とマーク形状が再生品質を決定するため、記録マーク両端の位置精度と記録マーク中央部形状が重要となる。
そこで本発明に係るストラテジについて、先頭部マーク形状、後部マーク形状、中央部マーク形状の３つに分けてシングルパルス形状を例としてストラテジの詳細を説明する。
【００７３】
ｉ）ストラテジ先頭部パルスについて
先頭部マーク形状形成において重要点はマーク位置精度である。特に先頭部マーク形状の形成において、記録しようとするマークの直前のマーク長及びスペース長による記録媒体上の熱の蓄積や上述したような高速記録対応記録媒体の感度特性による記録パワーマージンが狭くなることから従来例として示した図３５のような時間分解能を向上させるとともに高速な光出力変調が必要となる。
【００７４】
そこで先頭マーク形状においては、
（１）ストラテジパラメータＴＳＳ、及びＴＳＰによるシングルパルス及び加算パルス時間分解能の向上
（２）ストラテジパラメータＭＥＴ、ＭＢＴを用いた加算パルスによる高速光出力変調
により所望の先頭マーク形状を得ることが可能である。
すなわち、ＭＥＴ、ＭＢＴのオンオフを記録速度や記録しようとする記録マーク長と直前のスペース長により個別に設定することにより先頭部パルスの光出力を４Ｂｉｔで高速に変調することが可能であり、さらにＴＳＳ、ＴＳＰにより光出力の分解能を向上させる効果がある。
さらに、図１１に示すように加算パルスのうちＰ２ＥＮのパルス幅をＴＳＯで設定し、ＴＳＯの設定値によりオンオフ（例えばＴＳＯ＝０のときオフ）を決定するものとする。
これにより、ストラテジ制御信号Ｐ２ＥＮによる光出力の分解能を向上させる効果がある。
【００７５】
すなわち、図１２、図１３に示すように、加算パルスＰ２ＤＡＣを省略することでレーザー駆動回路を簡略化したり、図１３に示すように、さらにＭＥＭをオンにすることで高速に時間方向に光出力を変調することができる。
さらに、図１４、図１５に示すように、個々の光出力やパルス時間幅を高速に変調することもできる。
上述したように、図１６はＴＳＯの設定値によりオンオフ（例えばＴＳＯ＝０のときオフ）によりストラテジ制御信号Ｐ２ＥＮによる光出力の分解能を向上させる効果がある。
【００７６】
ii）ストラテジ後方部パルスについて
上述の先頭部パルスと同様に後方部メーク形状において重要な点はマーク位置精度及び形状である。特に後方部マーク形状は直後のスペース長及び次のマーク長への影響を考慮しなければならない。また、上述と同様に時間分解能の向上と高速光出力変調が必要である。
【００７７】
そこで後方部マーク形状においては、図１０に示すように
（１）ストラテジパラメータＴＬＳ、ＴＬＰによるシングルパルス光及び加算パルスの時間分解能の向上
（２）ストラテジパラメータＭＥＬ、ＭＢＬによる加算パルス付加による高速光変調
さらにストラテジ後方部においては光出力を減算するＰＵＤＡＣ、ＰＲＤＡＣによって
（３）ストラテジパラメータＴＬＵ、ＴＣＬによる減算パルスの時間分解能の向上
（４）ストラテジパラメータＭＲＣによる高速光変調（減算）
から所望の後方マーク形状を得ることができる。
【００７８】
すなわち、記録速度や記録しようとする記録マーク長と直後のスペース長によりＭＥＬ、ＭＢＬのオンオフを個別に設定することにより後方部パルスの光出力を４Ｂｉｔで高速に変調することが可能であり、さらにＴＬＳ、ＴＬＰにより光出力の分解能を向上させる効果がある。さらにＤ／ＡコンバータＰＵＤＡＣ，ＰＲＤＡＣによる光出力の減算により高精度な光出力分解能を得ることができる。またストラテジ制御信号ＰＵＥＮにおいてはパルス幅ＴＬＵの設定値によりオンオフ（例えばＴＬＵ＝０でオフ）と設定できるものとする。
【００７９】
さらには、図１７、図１８に示すように、先頭部と同様に加算パルスＰ２ＤＡＣを省略することでレーザー駆動回路を簡略化したり、図１８に示すように、さらにＭＥＬをオンにすることで高速に時間方向に光出力を変調することができる。
さらに、図１９、図２０に示すように、個々の光出力やパルス時間幅を高速に変調することもできる。さらに上述したように図２１、図２２に示すように、減算パルスによって高精度な光出力分解能を得ることができる。
また、上述した先頭部及び後方部のマーク形状形成を組み合わせて、図２３乃至図２６に示すようなストラテジを得ることできる。
【００８０】
iii）中央部マーク形状について
中央部マーク形状の形成において重要点は記録媒体上の熱の蓄積によってマーク形状が涙滴上に広がったり、逆に与える熱が不足することによる形状が不連続または形成できないよう、中央部パルスを制御することである。
そこで中央部マーク形状においては
（１）ストラテジパラメータＴＳＰ、ＴＬＳ、ＴＬＰによるシングルパルス光及び加算パルスの時間分解能の向上
（２）ストラテジパラメータＭＥＭ、ＭＢＭによる加算パルス付加による高速光変調
により所望の中央部マーク形状を得ることができる。
【００８１】
すなわち、記録速度や記録しようとする記録マーク長によりＭＥＭ、ＭＢＭのオンオフを個別に設定することにより中央部パルスの光出力を４Ｂｉｔで高速に変調することが可能であり、さらにＴＳＰ、ＴＬＳ、ＴＬＰにより加算パルス光出力の分解能を向上させる効果がある。
図２７から図２９に示すようにＭＥＭ、ＭＢＭのオンオフを個別に設定することにより中央部パルスの光出力を４Ｂｉｔで高速に変調することが可能である。
【００８２】
次に、上述したシングルパルスにおける効果について説明する。
記録速度や記録マーク及び前後のスペースに応じて、上記ストラテジパラメータＴＳＳ、ＴＳＰ、ＴＬＳ、ＴＬＰ、ＴＳＯ、ＴＬＵによって設定されるパルス幅及び上記ＭＥＴ、ＭＥＭ、ＭＥＬ、ＭＢＴ、ＭＢＭ、ＭＢＬを設定することによるストラテジ制御信号のオンオフにより実施することができ、より高速な光変調及びパルス時間幅変調が可能となる。
【００８３】
また、上記ＰＵＤＡＣ及びＰＲＤＡＣのＭＲＣ設定を備えることにより実施することができ、記録速度や記録マーク及び前後のスペースに応じて、ＭＲＣやＴＬＵを設定することにより高速な光変調及びパルス時間幅変調が可能となる。
さらに、ストラテジパラメータＴＳＳ、ＴＳＰ、ＴＬＳ、ＴＬＰ、ＴＳＯ、ＴＬＵを設定することにより実施することができ、記録速度や記録マーク及び前後のスペースに応じて、上記ストラテジパラメータ設定することにより高精度なパルス時間幅変調が可能となる。
また、各ストラテジ制御信号に対応したＤＡＣ、すなわちＰＷＤＡＣ、Ｐ１ＤＡＣ、Ｐ２ＤＡＣ、ＰＵＤＡＣ、ＰＲＤＡＣを備え、各ＤＡＣ設定値を設定することにより実施することができ、記録速度や記録マーク及び前後のスペースに応じて、上記各ＤＡＣを設定することにより高精度な光出力精度を得ることが可能となる。
【００８４】
さらに、記録速度や記録マーク及び前後のスペースに応じて、上記ＭＥＴ、ＭＥＭ、ＭＥＬ、ＭＢＴ、ＭＢＭ、ＭＢＬを設定することにより実施することができ、より高速な光変調及びパルス時間幅変調が可能となる。
また、記録速度や記録マーク及び前後のスペースに応じて、例えば図１３に示すように、上記ＭＥＴ、ＭＥＭ、ＭＥＬ、ＭＢＴ、ＭＢＭ、ＭＢＬを設定することによりパルス時間幅の変更を高速に実施することができ、より高速な光変調及びパルス時間幅変調が可能となる。
【００８５】
次に、本発明に係るストラテジの第２実施例であるマルチパルスストラテジについて詳細に説明する。
そのマルチパルスストラテジの実施するために必要な構成例を図３０、図３１を用いて説明する。
図３０は、上記タイミング制御部２２の構成の一例を示すブロック図であり、図３１はマルチパルスストラテジの波形の一例を示す波形図である。駆動電流生成部２４の構成は図９に示したものと同様である。
マルチパルスストラテジの実施構成は、上記シングルパルスストラテジを各マルチパルス毎に拡張したものであり、マルチパルスを出力するためにストラテジパラメータを追加した。
【００８６】
次に、各ストラテジパラメータによるマルチストラテジ制御信号の形状ついて説明する。
ストラテジ制御信号ＰＷＥＮは、ＥＦＭ立上りタイミングからＴＳＳ設定値分だけ遅れて立ち上がり、先頭加熱パルス幅をＴＳＰ、先頭冷却パルスをＴＦＳ、中央部加熱パルス幅をＴＭＰ、中央部冷却パルス幅をＴＭＰ、中央部加熱及び冷却パルス数をＮＭＰ、後方部パルス立上りタイミングをＴＬＳ＋ＴＬＰ＋（ｎ−３）Ｔ（ただしｎはマーク長、Ｔは基準クロック周期）、後方部加熱パルス幅をＴＬＰで設定する。
ストラテジ制御信号Ｐ１ＥＮのパルス幅は先頭付加パルス信号部、中央付加パルス信号部、後方付加パルス信号部で構成され、各パルス幅はＰＷＥＮの加熱パルス幅と同様である。また、ＭＥＴ、ＭＥＭ、ＭＥＬにより各パルス信号部をオンオフ設定できる。
【００８７】
ストラテジ制御信号Ｐ２ＥＮは、ストラテジ制御信号Ｐ１ＥＮと同様に先頭付加パルス信号部、中央付加パルス信号部、後方付加パルス信号部で構成されているが、各パルス幅はＴＳＯ、ＴＭＯ、ＴＬＯで設定される。各パルス信号部をオンオフ設定はＴＳＯ、ＴＭＯ、ＴＬＯが０に設定されたときオフとする。
ストラテジ制御信号ＰＵＥＮの立上りタイミングは、ストラテジ制御信号ＰＷＥＮの各パルスの立下りタイミングと一致しており、パルス幅はＴＳＵ、ＴＭＵ、ＴＬＵの設定値で設定される。また各パルス信号部をオンオフ設定はＴＳＯ、ＴＭＯ、ＴＬＯが０に設定されたときオフとする。
ストラテジ制御信号ＰＲＥＮはＭＲＣ＝０のときハイ“Ｈ”固定であるが、ＭＲＣ＝１と設定した時はＰＷＥＮの後方部パルス立下りタイミングと一致してＬとなり、そのパルス幅はＴＣＬ設定値で設定される。
【００８８】
次に、そのマルチパルスストラテジについて詳細に説明する。
従来の情報記録方式としてはマークポジション記録方式やマークエッジ記録方式があり、特に近年は高密度化が可能であるマークエッジ記録方式が採用されている。マークエッジ記録方式においては、特に記録媒体上のマーク長精度とマーク形状が再生品質を決定するため、記録マーク両端の位置精度と記録マーク中央部形状が重要となる。
そこで、このストラテジは上記シングルパルスストラテジと同様に、先頭部マーク形状、後部マーク形状、中央部マーク形状の３つに分けてシングルパルス形状を例としてストラテジの詳細を説明する。
【００８９】
ｉ）ストラテジ先頭部パルスについて
先頭部マーク形状形成において重要点はマーク位置精度である。特に先頭部マーク形状の形成において、記録しようとするマークの直前のマーク長及びスペース長による記録媒体上の熱の蓄積や上述したような高速記録対応記録媒体の感度特性による記録パワーマージンが狭くなることから、時間分解能を向上させるとともに高速な光出力変調が必要となる。
そこで先頭マーク形状においては、
（３）ストラテジパラメータＴＳＳ、及びＴＳＰによるマルチパルスの先頭部パルス及びＴＳＯ、ＴＳＰによる加算パルス時間分解能の向上
（４）ストラテジパラメータＭＥＴ、ＴＳＯを用いた加算パルスによる高速光出力変調
により所望の先頭マーク形状を得ることが可能である。
【００９０】
すなわち、ＭＥＴのオンオフを記録速度や記録しようとする記録マーク長と直前のスペース長により個別に設定することにより先頭部パルスの光出力を高速に変調することが可能であり、さらにＴＳＳ、ＴＳＰにより光出力の分解能を向上させる効果がある。
さらに、図３１に示すように加算パルスのうちストラテジ制御信号Ｐ２ＥＮのパルス幅をＴＳＯで設定し、ＴＳＯの設定値によりオンオフ（例えばＴＳＯ＝０のときオフ）を決定するものとする。これにより、ストラテジ制御信号Ｐ２ＥＮによる光出力の分解能を向上させる効果がある。
【００９１】
ii）ストラテジ後方部パルスについて
上述の先頭部パルスと同様に後方部メーク形状において重要な点はマーク位置精度及び形状である。特に後方部マーク形状は直後のスペース長及び次のマーク長への影響を考慮しなければならない。また、上述と同様に時間分解能の向上と高速光出力変調が必要である。
【００９２】
そこで後方部マーク形状においては図１０に示すように
（５）ストラテジパラメータＴＬＳ、ＴＬＰによるマルチパルス後方部光及びＴＬＰ、ＴＬＯによる加算パルスの時間分解能の向上
（６）ストラテジパラメータＭＥＬによる加算パルス付加による高速光変調
さらにマルチパルス後方部においては光出力を減算するＤ／ＡコンバータＰＵＤＡＣ、ＰＲＤＡＣによって
（７）ストラテジパラメータＴＬＵ、ＴＣＬによる減算パルスの時間分解能の向上
（８）ストラテジパラメータＭＲＣによる高速光変調（減算）
から所望の後方マーク形状を得ることができる。
【００９３】
すなわち、記録速度や記録しようとする記録マーク長と直後のスペース長によりＭＥＬのオンオフを設定することにより後方部パルスの光出力を高速に変調することが可能であり、さらにＴＬＳ、ＴＬＰにより光出力の分解能を向上させる効果がある。さらにＤ／ＡコンバータＰＵＤＡＣ，ＰＲＤＡＣによる光出力の減算により高精度な光出力分解能を得ることができる。また、ストラテジ制御信号ＰＵＥＮにおいてはパルス幅ＴＬＵの設定値によりオンオフ（例えばＴＬＵ＝０でオフ）と設定できるものとする。
【００９４】
iii）中央部マーク形状について
中央部マーク形状の形成において重要点は記録媒体上の熱の蓄積によってマーク形状が涙滴上に広がったり、逆に与える熱が不足することによる形状が不連続または形成できないよう、中央部パルスを制御することである。
そこで中央部マーク形状においては
（３）ストラテジパラメータＴＦＳ、ＴＭＰ、ＴＭＳによるマルチパルス光及びＴＭＰ、ＴＭＯによる加算パルスの時間分解能の向上
（４）ストラテジパラメータＭＥＭ、ＴＭＯによる加算パルス付加による高速光変調
（５）ストラテジパラメータＴＦＳ、ＮＭＰによる中央部パルスの位相及びパルス数設定
（６）ストラテジパラメータＴＭＰ、ＴＭＳによる中央部パルスの周期設定
により所望の中央部マーク形状を得ることができる。
【００９５】
すなわち、記録速度や記録しようとする記録マーク長によりＭＥＭのオンオフを個別に設定することにより中央部パルスの光出力を高速に変調することが可能であり、さらにＴＦＳ、ＴＭＰ、ＴＭＳ、ＮＭＰにより中央部パルスの位相、周期、パルス数を設定でき、さらにＴＭＯによる加算パルスのオンオフ設定ができる。またＴＦＳ、ＴＭＰ、ＴＭＳ及びＴＭＰ、ＴＭＯによるマルチパルス及び加算パルスの時間分解能設定による光出力分解能を向上させる効果がある。
また、図３２に示すように、Ｄ／ＡコンバータＰ２ＤＡＣの設定値を、相変化型記録媒体上の記録マークを消去するイレースパワーＰＥに設定することによりマルチパルスストラテジは相変化型記録媒体へも対応できる。
【００９６】
次に、マルチパルスにおける効果について説明する。
記録速度や記録マーク及び前後のスペースに応じて、上記ストラテジパラメータＴＳＯ、ＴＭＯ、ＴＬＯ、ＴＳＵ、ＴＭＵ、ＴＬＵ、ＴＣＬによって設定されるストラテジ制御信号Ｐ２ＥＮのストラテジ制御信号のオンオフ及び上記ＭＥＴ、ＭＥＭ、ＭＥＬにより設定されるストラテジ制御信号Ｐ１ＥＮのストラテジ制御信号のオンオフ設定を任意にオンオフすることができ、より高速な光変調及びパルス時間幅変調が可能となる。
【００９７】
また、上記Ｄ／ＡコンバータＰＵＤＡＣ及びＰＲＤＡＣのＭＲＣ設定を備えることにより実施することができ、記録速度や記録マーク及び前後のスペースに応じて、各パルスの高速な光変調及びパルス時間幅変調が可能となる。
さらに、ストラテジパラメータＴＳＳ、ＴＳＰ、ＴＦＳ、ＴＭＰ、ＴＭＳ、ＮＭＰ、ＴＬＳ、ＴＬＰ、ＴＳＯ、ＴＭＯ、ＴＬＯ、ＴＳＵ、ＴＭＵ、ＴＬＵを設定することにより実施することができ、記録速度や記録マーク及び前後のスペースに応じて、上記ストラテジパラメータを設定することにより高精度なパルス時間幅変調が可能となる。
【００９８】
また、各ストラテジ制御信号に対応したＤ／Ａコンバータ、すなわちＰＷＤＡＣ、Ｐ１ＤＡＣ、Ｐ２ＤＡＣ、ＰＵＤＡＣ、ＰＲＤＡＣを備え、各ＤＡＣ設定値を設定することにより実施することができ、記録速度や記録マーク及び前後のスペースに応じて、上記各ＤＡＣを設定することにより高精度な光出力精度を得ることが可能となる。
さらに、シングルパルスストラテジとマルチパルスストラテジの構成の違いは、上述したようにストラテジパラメータを追加したことにより実現できることから、シングルパルスストラテジで使用しない前記ストラテジパラメータＴＦＳ、ＴＭＰ、ＴＭＳ、ＮＭＰ、ＴＭＯ、ＴＬＯ、ＴＳＵ、ＴＭＵを０と設定したときにマルチパルスからシングルパルスの切替可能とすることにより、記録速度や記録マーク長及び前後のスペース長によってシングルパルス及びマルチパルスを切替ることができ、所望のマーク形状を得るための自由度の高いストラテジを実現することができる。
【００９９】
また、図１、図２に示したレーザドライバ６によってこの発明に係る情報記録方法の処理を行うようにし、そのレーザドライバ６を情報記録再生装置に備えるようにすれば、より広範囲な記録速度や記録媒体において所望のマーク形状を得ることのできるレーザ駆動回路及び情報記録装置が実現できる。
【０１００】
この発明による情報記録方法とレーザ駆動回路と情報記録装置はＣＤ−Ｒドライブ装置、ＣＤ−ＲＷドライブ装置、ＤＶＤ−Ｒドライブ装置、ＤＶＤ−ＲＷドライブ装置、ＤＶＤ−ＲＡＭドライブ装置、ＤＶＤ＋ＲＷドライブ装置、ＭＯドライブ装置などの情報記録装置においても適用することができる。
【図面の簡単な説明】
【０１０１】
【図１】本発明の一実施形態の情報記録装置の構成を示すブロック図である。
【図２】図１に示すレーザードライバの構成例を示すブロック図である。
【図３】図１に示すクロック生成部の内部構成例とその出力信号の波形図である。
【図４】図１に示すクロック生成部の他の内部構成例とその出力信号の波形図である。
【図５】図１に示すクロック生成部のまた他の構成例とその出力信号の波形図である。
【０１０２】
【図６】図１に示すクロック生成部のさらに他の構成例を示すブロック図である。
【図７】図１に示すクロック生成部のまた他の構成例とその出力信号の波形図である。
【図８】図２に示すタイミング制御部においてシングルパルスストラテジを実施するための構成例を示すブロック図である。
【図９】図２に示す駆動電流生成部においてシングル及びマルチパルスストラテジを実施するための構成例を示すブロック図である。
【０１０３】
【図１０】本発明の第１の実施例であるシングルパルスストラテジ光波形例を示す図である。
【図１１】本発明の第１の実施例であるシングルパルスストラテジ光波形のもう１つの例を示す図である。
【図１２】本発明の第１の実施例であるシングルパルスストラテジ光波形により所望の先頭マーク形状を得るための波形例を示す図である。
【図１３】同じく本発明の第１の実施例であるシングルパルスストラテジ光波形により所望の先頭マーク形状を得るための波形例を示す図である。
【０１０４】
【図１４】同じく本発明の第１の実施例であるシングルパルスストラテジ光波形により所望の先頭マーク形状を得るための波形例を示す図である。
【図１５】同じく本発明の第１の実施例であるシングルパルスストラテジ光波形により所望の先頭マーク形状を得るための波形例を示す図である。
【図１６】同じく本発明の第１の実施例であるシングルパルスストラテジ光波形により所望の先頭マーク形状を得るための波形例を示す図である。
【０１０５】
【図１７】本発明の第１の実施例であるシングルパルスストラテジ光波形により所望の後方マーク形状を得るための波形例を示す図である。
【図１８】同じく本発明の第１の実施例であるシングルパルスストラテジ光波形により所望の後方マーク形状を得るための波形例を示す図である。
【図１９】同じく本発明の第１の実施例であるシングルパルスストラテジ光波形により所望の後方マーク形状を得るための波形例を示す図である。
【０１０６】
【図２０】同じく本発明の第１の実施例であるシングルパルスストラテジ光波形により所望の後方マーク形状を得るための波形例を示す図である。
【図２１】本発明の第１の実施例であるシングルパルスストラテジ光波形により所望の後方マーク形状を得るために減算パルスを付加した波形例を示す図である。
【図２２】同じく本発明の第１の実施例であるシングルパルスストラテジ光波形により所望の後方マーク形状を得るために減算パルスを付加した波形例を示す図である。
【図２３】本発明の第１の実施例であるシングルパルスストラテジ光波形により所望の先頭及び後方マーク形状を同時に得るための波形例を示す図である。
【０１０７】
【図２４】同じく本発明の第１の実施例であるシングルパルスストラテジ光波形により所望の先頭及び後方マーク形状を同時に得るための波形例を示す図である。
【図２５】同じく本発明の第１の実施例であるシングルパルスストラテジ光波形により所望の先頭及び後方マーク形状を同時に得るための波形例を示す図である。
【図２６】同じく本発明の第１の実施例であるシングルパルスストラテジ光波形により所望の先頭及び後方マーク形状を同時に得るための波形例を示す図である。
【０１０８】
【図２７】本発明の第１の実施例であるシングルパルスストラテジ光波形により所望の中央部マーク形状を得るための波形例を示す図である。
【図２８】本発明の第１の実施例であるシングルパルスストラテジ光波形により所望の中央部マーク形状を得るための波形例を示す図である。
【図２９】同じく本発明の第１の実施例であるシングルパルスストラテジ光波形により所望の中央部マーク形状を得るための波形例を示す図である。
【０１０９】
【図３０】本発明の第２の実施例であるマルチパルスストラテジを実施するためのタイミング制御部の構成例を示すブロック図である。
【図３１】本発明の第２の実施例であるマルチパルスストラテジ光波形例を示す図である。
【図３２】本発明の第２の実施例であるマルチパルスストラテジ光波形を相変化型記録媒体に適応した場合の波形例を示す図である。
【０１１０】
【図３３】従来のシングルパルスによる記録波形の一例を示す図である。
【図３４】従来のマルチパルスによる記録波形の一例を示す図である。
【図３５】従来の逓倍クロックによる記録波形の時間分解能向上を図ったときの記録波形の一例を示す図である。
【符号の説明】
【０１１１】
１：ホストコンピュータ    ２：インタフェース制御回路    ３：コントローラ    ４：信号処理部    ５：光ピックアップ    ６：レーザドライバ    ７：光源（ＬＤ）    ８：光検出器    ９：スピンドルモータ    １０：記録媒体    ２０：クロック生成部    ２１：マーク／スペース長検出部    ２２：タイミング制御部    ２３：記録波形設定値記憶部    ２４：駆動電流生成部    ２５：制御インタフェース（Ｉ／Ｆ）    ２００：基準クロック発生部    ２０１：逓倍クロック生成部    ２０２，２０３，２０４：記録クロック生成部    ２１０：第１分周器    ２１１：位相比較器    ２１２：フィルタ    ２１３：第２分周器    ２１４：ＶＣＯ    ２２０：記録クロック発生部    ２２１：第３分周器    ２３０〜２３４，２３０′〜２３４′：ストラテジ制御信号生成回路    ２４０：電流加算回路    ２４１〜２４５：Ｄ／Ａコンバータ
【図１】
2006048836.tif 000003
【図２】
2006048836.tif 000004
【図３】
2006048836.tif 000005
【図４】
2006048836.tif 000006
【図５】
2006048836.tif 000007
【図６】
2006048836.tif 000008
【図７】
2006048836.tif 000009
【図８】
2006048836.tif 000010
【図９】
2006048836.tif 000011
【図１０】
2006048836.tif 000012
【図１１】
2006048836.tif 000013
【図１２】
2006048836.tif 000014
【図１３】
2006048836.tif 000015
【図１４】
2006048836.tif 000016
【図１５】
2006048836.tif 000017
【図１６】
2006048836.tif 000018
【図１７】
2006048836.tif 000019
【図１８】
2006048836.tif 000020
【図１９】
2006048836.tif 000021
【図２０】
2006048836.tif 000022
【図２１】
2006048836.tif 000023
【図２２】
2006048836.tif 000024
【図２３】
2006048836.tif 000025
【図２４】
2006048836.tif 000026
【図２５】
2006048836.tif 000027
【図２６】
2006048836.tif 000028
【図２７】
2006048836.tif 000029
【図２８】
2006048836.tif 000030
【図２９】
2006048836.tif 000031
【図３０】
2006048836.tif 000032
【図３１】
2006048836.tif 000033
【図３２】
2006048836.tif 000034
【図３３】
2006048836.tif 000035
【図３４】
2006048836.tif 000036
【図３５】
2006048836.tif 000037